(57)【要約】【課題】車軸耕耘型の耕耘機には、左右耕耘軸にプレート部材を設けて作業時の推進力を発生させる構成としている。しかしながら、畝幅や植付け作物に応じて外側部の耕耘爪を取り外した場合には、同時にプレート部材が外されて前記推進力が極度に減少し、機体の操作性を損なうといった課題が有った。また前記プレート部材を面一状に幅広く設定すると、耕耘時の振動が大きくなる恐れが生じる。【解決手段】左右の耕耘軸3に、複数の耕耘爪4a,4aを備え且つ伝動ケースに隣接して回転する内側耕耘輪5aを備えると共に、前記内側耕耘輪5aに、複数の耕耘爪4b,4bを備え且つ前記内側耕耘輪5aに隣接して一体回転させる外側耕耘輪5bを着脱自在に設ける。また内側耕耘輪5a及び外側耕耘輪5bの各外周面に、両耕耘輪を連結したときに前記耕耘軸3の法線方向に延設され略９０度の位相差をずらせて隣接するプレート部材6a,6bを備える。【選択図】  図４
2005237344.tif 000002
【特許請求の範囲】
【請求項１】
エンジン（Ｅ）後方に操縦ハンドル（１）を備え、前記エンジン（Ｅ）の回転動力を機体左右幅略中心位置に配置する伝動ケース（２）内の伝動機構（Ｍ）へ伝達すると共に、この回転動力を前記伝動ケース（２）の下部左右側面に突設した耕耘軸（３，３）へ伝達する歩行型耕耘機であって、
前記左右の夫れ夫れの耕耘軸（３）に、複数の耕耘爪（４ａ，４ａ…）を備え且つ前記伝動ケース（２）に隣接して回転する内側耕耘輪（５ａ）を備えると共に、前記内側耕耘輪（５ａ）に、複数の耕耘爪（４ｂ、４ｂ…）を備え且つ前記内側耕耘輪（５ａ）に隣接して一体回転させる外側耕耘輪（５ｂ）を着脱自在に設け、
前記内側耕耘輪（５ａ）及び外側耕耘輪（５ｂ）の各外周面に、両耕耘輪（５ａ，５ｂ）を連結したときに前記耕耘軸（３）の法線方向に延設され面一状に一致するプレート部材（６ａ，６ｂ）を備えたことを特徴とする歩行型耕耘機。
【請求項２】
エンジン（Ｅ）後方に操縦ハンドル（１）を備え、前記エンジン（Ｅ）の回転動力を機体左右幅略中心位置に配置する伝動ケース（２）内の伝動機構（Ｍ）へ伝達すると共に、この回転動力を前記伝動ケース（２）の下部左右側面に突設した耕耘軸（３，３）へ伝達する歩行型耕耘機であって、
前記左右の夫れ夫れの耕耘軸（３）に、複数の耕耘爪（４ａ，４ａ…）を備え且つ前記伝動ケース（２）に隣接して回転する内側耕耘輪（５ａ）を備えると共に、前記内側耕耘輪（５ａ）に、複数の耕耘爪（４ｂ、４ｂ…）を備え且つ前記内側耕耘輪（５ａ）に隣接して一体回転させる外側耕耘輪（５ｂ）を着脱自在に設け、
前記内側耕耘輪（５ａ）及び外側耕耘輪（５ｂ）の各外周面に、両耕耘輪（５ａ，５ｂ）を連結したときに前記耕耘軸（３）の法線方向に延設され略９０度の位相差をずらせて隣接するプレート部材（６ａ，６ｂ）を備えたことを特徴とする歩行型耕耘機。
【発明の詳細な説明】
【技術分野】
【０００１】
この発明は、耕耘軸に推進力を発生させるプレート部材（推進板）を備えた歩行型耕耘機の構成に関する。
【背景技術】
【０００２】
従来、伝動ケースの左右両側部に耕耘軸を備え、別途タイヤ等を駆動する車輪用駆動軸を備えない所謂車軸耕耘式の耕耘機には、機体の推進力を補助するべく、この耕耘軸回りに法線方向に伸びるプレート部材を備える構成が知られている（特許文献１）。
【特許文献１】実開昭60-100901号
【発明の開示】
【発明が解決しようとする課題】
【０００３】
しかしながら、前記従来の歩行型耕耘機では、伝動ケース下部に支持した左右の各耕耘軸の外側部に前記プレート部材が設けられ、畝幅や植付け作物に応じて外側部の耕耘爪を取り外し耕耘幅を変更した場合には、同時にプレート部材が取り外されて前記推進力が極度に減少し、機体の操作性を損なうといった課題が有った。
【課題を解決するための手段】
【０００４】
前記課題に鑑みて、この発明の歩行型耕耘機は以下のように構成した。
【０００５】
即ち、請求項１の発明では、エンジン（Ｅ）後方に操縦ハンドル（１）を備え、前記エンジン（Ｅ）の回転動力を機体左右幅略中心位置に配置する伝動ケース（２）内の伝動機構（Ｍ）へ伝達すると共に、この回転動力を前記伝動ケース（２）の下部左右側面に突設した耕耘軸（３，３）へ伝達する歩行型耕耘機であって、
前記左右の夫れ夫れの耕耘軸（３）に、複数の耕耘爪（４ａ，４ａ…）を備え且つ前記伝動ケース（２）に隣接して回転する内側耕耘輪（５ａ）を備えると共に、前記内側耕耘輪（５ａ）に、複数の耕耘爪（４ｂ、４ｂ…）を備え且つ前記内側耕耘輪（５ａ）に隣接して一体回転させる外側耕耘輪（５ｂ）を着脱自在に設け、
前記内側耕耘輪（５ａ）及び外側耕耘輪（５ｂ）の各外周面に、両耕耘輪（５ａ，５ｂ）を連結したときに前記耕耘軸（３）の法線方向に延設され面一状に一致するプレート部材（６ａ，６ｂ）を備えたことを特徴とする歩行型耕耘機とした。
【０００６】
また請求項２の発明では、エンジン（Ｅ）後方に操縦ハンドル（１）を備え、前記エンジン（Ｅ）の回転動力を機体左右幅略中心位置に配置する伝動ケース（２）内の伝動機構（Ｍ）へ伝達すると共に、この回転動力を前記伝動ケース（２）の下部左右側面に突設した耕耘軸（３，３）へ伝達する歩行型耕耘機であって、
前記左右の夫れ夫れの耕耘軸（３）に、複数の耕耘爪（４ａ，４ａ…）を備え且つ前記伝動ケース（２）に隣接して回転する内側耕耘輪（５ａ）を備えると共に、前記内側耕耘輪（５ａ）に、複数の耕耘爪（４ｂ、４ｂ…）を備え且つ前記内側耕耘輪（５ａ）に隣接して一体回転させる外側耕耘輪（５ｂ）を着脱自在に設け、
前記内側耕耘輪（５ａ）及び外側耕耘輪（５ｂ）の各外周面に、両耕耘輪（５ａ，５ｂ）を連結したときに前記耕耘軸（３）の法線方向に延設され略９０度の位相差をずらせて隣接するプレート部材（６ａ，６ｂ）を備えたことを特徴とする歩行型耕耘機とした。
（作用）
以上のように構成した請求項１及び請求項２記載の歩行型耕耘機では、圃場内の畝幅或いは畝溝幅や、作物の植付け幅に応じて、耕耘幅を狭く設定する場合は、耕耘軸（３）に内側耕耘輪（５ａ）だけを備えて耕耘作業を行ない、耕耘幅を広く設定する場合は、この内側耕耘輪（５ａ）に対し、外側耕耘輪（５ｂ）を連結して耕耘作業を行う。その際、前記耕耘軸（３）を駆動すると、耕耘爪（４ａ，４ｂ…）が回転すると同時に内側耕耘輪（５ａ）、或いは内側及び外側耕耘輪（５ａ，５ｂ）に装着されたプレート部材（６ａ，６ｂ）が回転して、土を押し出し機体に推進力を発生させる。
【発明の効果】
【０００７】
これにより、請求項１及び請求項２に記載の歩行型耕耘機では、耕耘幅を変更しても、これに応じて適度な推進力が得られ、機体の操作性を損なうことが無い。
【０００８】
また請求項１の発明では、特に土塊が大きな圃場や蔦蔓類の植物が生育している圃場では、内外のプレート部材６ａ，６ｂを面一状に設定することで、前記土塊をプレート部材（６ａ，６ｂ）によって後方へ押圧し易く、大きな推進力を得ることができ、また植物が回転軸回りに極力絡ませないようにして、メンテナンスの省力化を図ることができる。
【０００９】
また請求項２の発明では、特に硬質の圃場で耕耘時に大きな振動が想定される場合は、内外のプレート部材（６ａ，６ｂ）を略９０度ずらすことで、耕耘面からの振動の変動を抑え、機体の操作性を向上させることができる。
【発明を実施するための最良の形態】
【００１０】
以下、図面に基づいて、この発明の歩行型耕耘機Ｔについて説明する。
【００１１】
歩行型耕耘機Ｔは、車軸耕耘式の耕耘機であって、図１と図６に示すように、機体前部にバンパーを兼用する機体フレーム１１を配設し、このフレーム１１にシリンダヘッド１２を後方へ向けた傾斜エンジンＥを取り付ける構成となっている。また前記エンジンＥのシリンダヘッド１２後方上部には、図６に示すように、平面視Ｌ字状の燃料タンク１３を配置し、これらエンジンＥのシリンダヘッド１２と燃料タンク１３の周囲をボンネット１４にて覆う構成となっている。
【００１２】
また前記ボンネット１４には、図７に示すように、中央部の大径穴１５ｂと後部の小径穴１５ｓを設け、前記大径穴１５ｂには、左右の係止片１４ｂ、１４ｂと後部ばね１４ｃによって取付ける蓋体１４ａを支持すると共に、小径穴１５ｓには前記燃料タンク１３から伸びる燃料給油口１６を挿通する構成となっている。
【００１３】
また前記小径穴１５ｓの周囲には、図８に示すように、環状の溝部１４ｄを形成し、この溝部１４ｄの一部にボンネット１４の裏側へ通じる貫通孔１４ｅを備える構成となっている。
【００１４】
また前記貫通穴１４ｅの下方に位置する燃料タンク１３の側面には、側面視前上がり状のフランジ部１３ａが形成され、前記燃料タンク１３に燃料を給油するときに、燃料を零すことがあっても、ボンネット１４上に零れた燃料は、前記溝部１４ｄに溜まり貫通孔１４ｅを通じて燃料タンク１３側へ落下するものの、前記フランジ１３ａ面に遮られて、エンジンＥ側へ流れ落ちることを防止し、タンク下方に案内される構成となっている、
また前記ボンネット１４の大径穴１５ｂにも、図９に示すように、この周囲に壁部１４ｆとなるバーリングが施され、前記ボンネット１４上に漏れ出た燃料を、前記壁部１４ｆに沿って（図中矢印）、車体前方、即ちエンジンＥのシリンダヘッド１２部を極力避けた位置まで案内し、落下させる構成としている。
【００１５】
また前記蓋体１４ａを開放すると、前記燃料タンク１３の平面視Ｌ字形状の空間部Ｓを臨むことができ、この空間部Ｓ内で、プラグレンチ２２等を差し込んで前記エンジンＥの点火プラグ１７を着脱する等、エンジンＥ及び燃料タンク１３に関するメンテナンスを行う構成となっている。
【００１６】
また前記エンジンＥの側部には、エンジン出力軸１８を突設し、同エンジンＥの回転動力をベルトケース１９内のプーリやベルト部材からなるベルト式伝動機構２１を介してエンジンＥ後部の伝動ケース２内へ伝達する構成となっている。
【００１７】
また前記伝動ケース２は、機体左右幅略中心位置に配置され、この内部にチェーン式伝動機構Ｍを内装する構成となっている。そして、前記入力した回転動力をケース下部左右側部に突設する左右の耕耘軸３，３から出力する構成（図３参照）となっている。
【００１８】
また前記耕耘機Ｔの機体後部には操縦ハンドル１備える構成となっている。詳しくは前記伝動ケース２の後部にハンドル下部フレーム１ａを立設支持し、このハンドル下部フレーム１ａの上部左右に平面視ループ状のハンドルフレーム１ｂの左右両足部を支持する構成となっている。
【００１９】
尚、図１中符号２５はエンジンマフラーを示し、２６は前記ベルト式伝動機構の動力伝達状態を入切するクラッチレバー、２７は耕耘時に圃場に突き刺して機体の直進性を保つ抵抗棒を示す。
【００２０】
次に前記伝動ケース２下部の耕耘部Ｒの構成について説明する。
【００２１】
前記耕耘部Ｒは、前記伝動ケース２から突設する左右の耕耘軸３，３と、この耕耘軸３，３に挿通支持して伝動ケース２の左右外側に隣接して回転する内側耕耘輪５ａ（第一耕耘輪）と、この内側耕耘輪５ａの外側に隣接支持する外側耕耘輪５ｂ（第二耕耘輪）と、更にこの外側耕耘輪５ｂの外側に支持するサイドディスク７を備える構成となっている。
【００２２】
前記内側耕耘輪５ａは、図２に示すように、前記左右略中央部に、正方形状の回転板３０を設け、この回転板３０の四辺に沿ってなた状の耕耘爪４ａ，４ａを前後上下、四方に突出させた状態で支持する構成となっている。また前記回転板３０の内側には、前記伝動ケース２側に向かい且つ前記耕耘軸３の周囲を覆う筒体３１を支持する一方、前記回転板３０の外側には、前記耕耘軸３の軸心に対し１８０度対向させて法線方向に突設するプレート部材（以下、内側推進板６ａ）を支持する構成となっている。尚、前記内側推進板６ａは、伝動ケース２を挟んで軸芯Ｐに対し同位相に設定されている。
【００２３】
また前記内側推進板６ａは、後述する外側耕耘輪５ｂの挿通軸３２よりも大径の挿通筒３３上に溶接支持する構成となっており、この左右外端位置は、図３に示すように、前記耕耘爪４ａの左右屈曲幅の外端位置、即ち耕耘幅Ｗの左右両端位置と略同位置に設定する構成となっている。
【００２４】
また前記外側耕耘輪５ｂは、前記内側耕耘輪５ａと同様に、左右軸方向略中央部に、正方形状の回転板４０を設け、この回転板４０の四辺に沿ってなた状の耕耘爪４ｂ，４ｂを前後上下、四方に突出させた状態で支持する構成となっている。また前記回転板４０の内側には、前記内側耕耘輪５ａの挿通筒３３に挿通支持させる挿通軸３２と、前記耕耘軸芯に対し１８０度対向して法線方向に突設するプレート部材（以下、外側推進板６ｂ）を支持する一方、前記回転板４０の外側には、前記サイドディスク７を取り付ける筒状の取付穴４１を備える構成となっている。
【００２５】
そして、前記内側耕耘輪５ａの挿通筒３３と外側耕耘輪５ｂの挿通軸３２には、前記外側推進板６ｂと内側推進板６ａとが面一状に一致する状態で連結させる連結機構、即ちここでは、ピン穴８ａ，８ｂを開口する構成となっている。
【００２６】
これにより、前記歩行型耕耘機Ｔでは、耕耘幅Ｗの大小に合わせて耕耘軸３に内側耕耘輪５ａだけを取り付けたり、前記ピン穴８ａ、８ｂにピン９を挿通固定して内側耕耘輪５ａ及び外側耕耘輪５ｂを共に取り付けることができ、更に内側耕耘輪５ａ及び外側耕耘輪５ｂ双方に夫れ夫れ推進板６ａ，６ｂを備えたものであるので、耕耘幅Ｗに応じて適当な推進力を得ることができる。
【００２７】
また特に、土塊が大きな圃場や蔦蔓類の植物が生育している圃場では、内外の推進板６ａ，６ｂを面一状に一致することで、前記土塊をプレート部材６ａ，６ｂで後方へ押圧し易く、大きな推進力を得ることができ、また植物が回転軸回りに極力絡ませないようにして、メンテナンスの省力化を図ることができる。
【００２８】
また前記構成では、外側耕耘輪５ｂに挿通軸３２を設け、内側耕耘輪５ａに前記挿通軸３２を挿通させる挿通筒３３を設けたので、例えば前記挿通軸３２を内側耕耘輪５ａに備え、挿通筒３３を外側耕耘輪５ｂへ備える場合と比較して、内側耕耘輪５ａだけを装着して作業する場合、耕耘軸３２が側方に突出しない状態となり、草木に絡まったり、側方の畝を崩す恐れが無い。
【００２９】
更に前記歩行型耕耘機Ｔの耕耘部Ｒの構成ついて説明する。
【００３０】
前記歩行型耕耘機Ｔの耕耘部Ｒは、前記の通り、内側耕耘輪５ａに対し、外側耕耘輪５ｂを着脱自在に連結する構成としているが、この外側耕耘輪５ｂを図４と図５に示すように、外側推進板６ｂが内側推進板６ｂに対し、位相を略９０度ずらせて取付ける構成としても良い。
【００３１】
具体的には、前記内側耕耘輪５ａの挿通筒３３に開口したピン穴８ｂの位置をを回転軸芯Ｐに対して前記の場合よりも９０度位相をずらせて開口する構成となっている。
【００３２】
これにより、硬質の圃場で耕耘時に大きな振動が想定される場合は、内外のプレート部材６ａ，６ｂを略９０度ずらすことで、耕耘面からの振動の変動を抑え、機体の操作性を向上させることができる。
【００３３】
尚、前記歩行型耕耘機Ｔの別形態としては、前記耕耘部Ｒを車軸付の歩行型耕耘部に備える構成しても良いし、耕耘軸３や挿通筒３３、挿通軸３２を多角形状に構成し、それぞれの取付状態により、内外の推進板６ａ，６ｂの角度を面一状或いは９０度ずらせて連結する構成としても良い。
【図面の簡単な説明】
【００３４】
【図１】歩行型耕耘機の全体側面。
【図２】内外の推進板を面一状に位置させる場合の内外耕耘輪の取付作用を示す斜視図。
【図３】内側耕耘輪だけを備えた耕耘部の正面図。
【図４】内外の推進板を略９０度ずらせて位置させる場合の内外耕耘輪の取付作用を示す斜視図。
【図５】内外の推進板の位相差を示す側面図。
【図６】エンジンのシリンダヘッドと燃料タンクの配置を示す斜視図。
【図７】（Ａ）ボンネットの側断面図、及び係止部の拡大作用図。（Ｂ）ボンネットの平面図。
【図８】燃料タンクの上部を示す斜視図。
【図９】燃料タンクとエンジン上部を示す斜視図。
【符号の説明】
【００３５】
Ｅ  エンジン
Ｒ  耕耘部
Ｔ  歩行型耕耘機
１  操縦ハンドル
２  伝動ケース
３  耕耘軸
４ａ  耕耘爪
４ｂ  耕耘爪
５ａ  内側耕耘輪
５ｂ  外側耕耘輪
６ａ  内側推進板（プレート部材）
６ｂ  外側推進板（プレート部材）
７  サイドディスク
８  ピン穴
９  ピン
【図１】
2005237344.tif 000003
【図２】
2005237344.tif 000004
【図３】
2005237344.tif 000005
【図４】
2005237344.tif 000006
【図５】
2005237344.tif 000007
【図６】
2005237344.tif 000008
【図７】
2005237344.tif 000009
【図８】
2005237344.tif 000010
【図９】
2005237344.tif 000011